(57)【要約】      （修正有）【課題】屋内外を問わず適宜位置に仮設、常設して、非喫煙者に迷惑をかけずして快適な気分で喫煙することのできる防火性の高い簡便な喫煙用プレハブブースを提供する。【解決手段】複数のパネル部材２２を結合してなる外壁部２１を有して内部に複数の喫煙者を収容可能な喫煙室が形成されるブース本体２と、ブース本体２の底部に設けられる床部１と、ブース本体２の上部に設けられる屋根部３とを備える喫煙用プレハブブースであり、その全体が非木質の不燃材料ないしは難燃材料からなる。ブース本体２の外壁部２１には、採光窓２２ａ、換気口２３、喫煙者が出入りするための出入口２４、及びその出入口を開閉するドア２５が設けられる。又、屋根部３の中央頂部には、壁部に鎧戸３１ａを備えた換気用頂塔３１が設けられる。【選択図】図１
0003156659.tif 000002
【実用新案登録請求の範囲】
【請求項１】
複数のパネル部材を結合してなる外壁部を有して内部に複数の喫煙者を収容可能な喫煙室が形成されるブース本体と、このブース本体の底部に設けられる床部と、前記ブース本体の上部に設けられる屋根部とを備える喫煙用プレハブブースであり、
その全体が非木質の不燃材料ないしは難燃材料からなり、
前記ブース本体の外壁部には、採光窓、換気口、喫煙者が出入りするための出入口、及びその出入口を開閉するドアが設けられ、
前記屋根部の中央頂部には、壁部に鎧戸を備えた換気用頂塔が設けられていることを特徴とする喫煙用プレハブブース。
【請求項２】
前記屋根部の端縁に雨樋が設けられていることを特徴とする請求項１記載の喫煙用プレハブブース。
【請求項３】
前記喫煙室には、前記外壁部の内面に沿って手摺が設けられていることを特徴とする請求項１、又は２記載の喫煙用プレハブブース。
【請求項４】
前記ブース本体、前記床部、及び前記屋根部は、正六角形の輪郭を有していることを特徴とする請求項１〜３のいずれか１項に記載の喫煙用プレハブブース。
【考案の詳細な説明】
【技術分野】
【０００１】
本考案は、小規模建築物に係わり、特に屋内外に設置して使用することのできる組立式の簡便な喫煙用プレハブブースに関する。
【背景技術】
【０００２】
近年、健康志向が高まるなか、喫煙者人口が減少の一途を辿っているが、成人全体に占める喫煙者の人口割合は依然として高い。喫煙者人口の減少は、第１に健康を害することの懸念にあるが、タバコによる健康被害は喫煙者に留まらず、喫煙者の周囲に居て副流煙を間接的に吸込むことになる非喫煙者にも及ぶことが指摘されている。このため、近年では、屋内はもとより、屋外でも多くの人が集まる場所での喫煙が制限されるようになっており、喫煙者にとって喫煙する機会が失われつつある。
【０００３】
そこで、換気扇が設けられる壁の周辺において、換気扇の真上となる天井面に沿ってコ字形のレールを配置し、そのレールから透明なシートを吊下げ、そのシートにより喫煙者の頭上が覆われるようにした換気システムが提案されている（例えば、特許文献１）。
【０００４】
又、室内の天井面に平行する天板に換気扇を取り付け、その換気扇と室内の壁に穿設される通気口とを排気管で連結する一方、天板の周縁に設けられるカーテンレールからカーテンを吊下げ、そのカーテンにより喫煙者の周囲を囲む喫煙空間が形成されるようにした簡易喫煙所が提案されている（例えば、特許文献２）。
【先行技術文献】
【特許文献】
【０００５】
【特許文献１】特開２０００−１８６８４１号公報
【特許文献２】登録実用新案第３０９２８８２号公報
【考案の概要】
【考案が解決しようとする課題】
【０００６】
しかしながら、特許文献１の換気システムでは、喫煙者の頭上がシートで覆われるだけなので、喫煙者が吐き出した煙や副流煙がシートで囲まれる換気扇に引き込まれずして室内に拡散してしまうことが懸念される。
【０００７】
この点、特許文献２の簡易喫煙所では、喫煙者の周囲がカーテンで囲まれることからタバコの煙が室内に拡散することを防止できるものの、カーテンで仕切られる狭小空間内で喫煙するには孤独感、閉塞感があり、心地よい気分で喫煙できない。
【０００８】
又、特許文献１、２のいずれも屋内、それも壁面に換気扇や通気口を備えた室内にしか設置することができないし、床に落ちたタバコの灰が周囲に飛散するなどして非喫煙者との共有空間を汚損してしまうという問題がある。加えて、タバコの火がシート、カーテンを媒介して室内全体に延焼する虞もある。
【０００９】
本考案は以上のような事情に鑑みて成されたものであり、その目的は屋内外を問わず適宜位置に仮設、常設して、非喫煙者に迷惑をかけずして快適な気分で喫煙することのできる防火性の高い簡便なプレハブブースを提供することにある。
【課題を解決するための手段】
【００１０】
本考案は上記目的を達成するため、
複数のパネル部材を結合してなる外壁部を有して内部に複数の喫煙者を収容可能な喫煙室が形成されるブース本体と、このブース本体の底部に設けられる床部と、前記ブース本体の上部に設けられる屋根部とを備える喫煙用プレハブブースであり、
その全体が非木質の不燃材料ないしは難燃材料からなり、
前記ブース本体の外壁部には、採光窓、換気口、喫煙者が出入りするための出入口、及びその出入口を開閉するドアが設けられ、
前記屋根部の中央頂部には、壁部に鎧戸を備えた換気用頂塔が設けられていることを特徴とする。
【００１１】
又、前記屋根部の端縁に雨樋が設けられていることに加え、前記喫煙室には、前記外壁部の内面に沿って手摺が設けられていることを特徴とする。
【００１２】
更に、前記ブース本体、前記床部、及び前記屋根部は、正六角形の輪郭を有していることを特徴とする。
【考案の効果】
【００１３】
本考案に係る喫煙用プレハブブースによれば、ブース本体と床部と屋根部を備えたボックス構造であるから、内部の喫煙室に公知の空気清浄機を設置してタバコの煙を外部に漏らさず、床部に落ちた灰が外部に飛び散ることも防止できる。このため、屋内外の適宜位置に仮設、常設して、非喫煙者に迷惑をかけずして喫煙することが可能となる。
【００１４】
又、ブース本体内に形成される喫煙室は複数の喫煙者を収容可能であるから、喫煙者同士で歓談しながら喫煙でき、しかも外壁部には採光窓が設けられるので、喫煙中に閉塞感や圧迫感を受けず、快適な気分で喫煙することができる。
【００１５】
更に、全体が非木質の不燃材料ないしは難燃材料からなるため、タバコの火の不始末による火災を防止でき、しかも外壁部に換気口が設けられると共に、屋根部の中央頂部には壁部に鎧戸を備えた換気用頂塔が設けられることから、喫煙室内に一酸化炭素などの有害ガスが充満することを防止できる。
【００１６】
加えて、屋根部の端縁に雨樋が設けられていることから、雨天時に喫煙室に出入りする場合でも喫煙者の着衣が濡れることを抑制できる。
【００１７】
又、喫煙室には、外壁部の内面に沿って手摺が設けられていることから、その手摺を握り締めたり手摺に腰掛けたりしながら楽な姿勢で喫煙することができる。
【００１８】
更に、ブース本体、床部、及び屋根部が正六角形の輪郭を有していることから、デザイン性に富み、イベント広場などに設置して景観を損なわない。
【図面の簡単な説明】
【００１９】
【図１】本考案に係る喫煙用プレハブブースを示す正面図
【図２】床部の内部構造を示す平面図
【図３】床部の平面図
【図４】図１のＡ−Ａ断面図
【図５】図４のＡ部拡大図
【図６】図４のＢ部拡大図
【図７】屋根部の内部構造を示す平面図
【図８】屋根部の内部構造を示す平面図
【図９】屋根部の内部構造を示す側面図
【図１０】屋根部の平面図
【図１１】図１のＢ−Ｂ断面図
【図１２】図１のＣ−Ｃ断面図
【考案を実施するための形態】
【００２０】
以下、図面に基づいて、本考案に係る喫煙用プレハブブースの実施形態を詳しく説明する。先ず、図１において、係る喫煙用プレハブブースは、偏平板状の床部１、床部１上に設けられるブース本体２、及びブース本体２上に設けられる屋根部３により構成される。
【００２１】
床部１は、上部荷重を支える基台となるもので、その底部にはアジャスターボルトからなる複数の脚部１１が設けられており、その各脚部１１により床部１と上部構造のレベル調整が可能とされている。
【００２２】
又、図２および図３から明らかなように、床部１は正六角形の輪郭を有している。本例において、係る床部１は、図２に示されるように、正六角形に組まれる外枠１２および内枠１３、外枠１２と内枠１３とを結合する放射状の床下補強リブ１４、ならびに隣り合う床下補強リブ１４の間に架設される床下補強リブ１５を含んで構成されている。そして、床下補強リブ１４，１５上には、図３に示される６つの床板１６が敷設され、内枠１３内には中央床板１７が敷設されている。尚、外枠１２および内枠１３は角筒状の亜鉛メッキ鋼管からなり、床下補強リブ１４，１５および中央床板１７は亜鉛メッキ鋼板からなり、床板１６はアルミ板からなる。
【００２３】
次に、ブース本体２の構成を詳しく説明すれば、係るブース本体２は、幅２．５〜３ｍ、高さ２ｍ程度の多角形の筒形であり、その外壁部２１には、図１に示されるように採光窓２２ａ、換気口２３、喫煙者が出入りするための出入口２４、及びその出入口２４を開閉するドア２５が設けられている。尚、採光窓２２ａはアルミ製窓枠の内側に透明板（本例においてポリカーボネイト板）を取付けた嵌め殺し窓、ドア２５は出入口２４を形成する戸枠２６の内側に建て込まれた片開き戸である。
【００２４】
又、ブース本体２の外壁部２１は、床部１上に立てられる支柱２７の間に複数のパネル部材２２を配して構成されている。そして、その内部には、複数（５〜６人程度）の喫煙者を収容可能な喫煙室が形成されている。外壁部２１を構成するパネル部材２２は、支柱２７を介して結合されており、係るパネル部材２２には上記採光窓２２ａのほか、換気口２３を穿設したルーバーパネル２２ｂ、このルーバーパネル２２ｂと採光窓２２ａの間に設けられる窓下パネル２２ｃ、採光窓２２ａの上に設けられる窓上パネル２２ｄ、戸枠２６を取付ける左右一対のドアサイドパネル２２ｅおよびドア上パネル２２ｆが含まれる。尚、それら各パネル２２ａ〜２２ｆおよび支柱２７は、亜鉛メッキ鋼板から形成されている。
【００２５】
特に、図４から明らかなように、ブース本体２も床部１と同じく正六角形の輪郭を有している。詳しくは、床部１の各凸角部に上記支柱２７が立てられ、隣り合う支柱２７の間に上記のパネル部材２２が配置されている。
【００２６】
図５および図６から明らかなように、支柱２７は、「く」の字形に折れ曲がった外側柱２７ａと当該外側柱２７ａにボルト／ナットで締結される内側柱２７ｂとからなり、その外側柱２７ａと内側柱２７ｂとの間に採光窓２２ａやドアサイドパネル２２ｅといったパネル部材２２の端部が挟み込まれる構成とされている。
【００２７】
又、図４から明らかなように、出入口２４を開閉するドア２５は、ブース本体２の相対向する外壁部２１に設けられ、喫煙室Ｒには、出入口２４の部分を除く外壁部２１の内面に沿ってステンレスの丸パイプからなる手摺２８が設けられている。尚、喫煙室Ｒの中央には公知の空気清浄機４（吸気口と排気口を備えるテーブル型のもの）が設置され、その空気清浄機４により喫煙室Ｒ内の空気が循環されつつ浄化される。
【００２８】
次に、屋根部３の構成について詳述すれば、係る屋根部３は正六角形の輪郭を有する角錐状の形態であり、その中央頂部には図１に示されるように換気用頂塔３１（越し屋根）が突設されている。換気用頂塔３１は、亜鉛メッキ鋼板を接合するなどして構成される中空構造物で、その壁部には喫煙室内の汚損空気を外部に排出するための鎧戸３１ａ（がらり）が設けられている。
【００２９】
又、図７から明らかなように、屋根部３は、正六角形に組まれる外枠３２および内枠３３、外枠３２と内枠３３を連結する一対の平行な補強リブ３４、および外枠３２と内枠３３の凸角部間に架設された放射状の天井取付桟３５を有して構成される。このうち、外枠３２および補強リブ３４は亜鉛メッキ鋼管からなり、内枠３３および天井取付桟３５は亜鉛メッキ鋼板からなる。尚、内枠３３は図１に示した換気用頂塔３１を連結する筒状構造物であり、これは図８および図９から明らかなように外枠３２の中心から上方に突出され、当該内枠３３の上端と外枠３２との間には亜鉛メッキ鋼板からなる斜材３６ａが架設される。
【００３０】
図１０から明らかなように、隣り合う斜材３６ａの間には亜鉛メッキ鋼板からなる屋根板３７が葺かれ、上記斜材３６ａの上には亜鉛メッキ鋼板からなる他の斜材３６ｂが取り付けられる。つまり、屋根板３７は上下一対の斜材３６ａ，３６ｂにより両側縁を挟み込まれて固定される。尚、図１０において、３８は屋根部３の端縁（屋根板３７の下縁端）に設けた雨樋であり、この雨樋３８には雨水を流下せしめるための排水口３８ａが穿設されている。
【００３１】
一方、図１１に示すように、屋根部３の底面には天井板３９が張られる。天井板３９は台形状の亜鉛メッキ鋼板で、図７に示した天井取付桟３５にビス止めされる。尚、屋根部３の底面中央部は通気口Ｈとして開口され、その開口を介して図１に示した換気用頂塔３１とブース本体２内の喫煙室Ｒが連通するようになっている。
【００３２】
そして、上記のように構成される屋根部３は、図１２のようにブース本体２を構成するパネル部材（図１２においてドア上パネル２２ｆ）の上端面に外枠３２を載せ、その外枠３２をドア上パネル２２ｆなどにビス止めすることによりブース本体２と一体化され、その屋根部３により上記喫煙室Ｒの上部が覆われることとなる。
【００３３】
以上、本考案について説明したが、係る喫煙用プレハブブースは、屋外に設置することに限らず、屋内に設置して使用することもできる。
【符号の説明】
【００３４】
Ｒ  喫煙室
１  床部
２  ブース本体
２１  外壁部
２２  パネル部材
２２ａ  採光窓
２２ｂ  ルーバーパネル
２２ｃ  窓下パネル
２２ｄ  窓上パネル
２２ｅ  ドアサイドパネル
２２ｆ  ドア上パネル
２３  換気口
２４  出入口
２５  ドア
２８  手摺
３  屋根部
３１  換気用頂塔
３１ａ  鎧戸
３８  雨樋
【図１】
0003156659.tif 000003
【図２】
0003156659.tif 000004
【図３】
0003156659.tif 000005
【図４】
0003156659.tif 000006
【図５】
0003156659.tif 000007
【図６】
0003156659.tif 000008
【図７】
0003156659.tif 000009
【図８】
0003156659.tif 000010
【図９】
0003156659.tif 000011
【図１０】
0003156659.tif 000012
【図１１】
0003156659.tif 000013
【図１２】
0003156659.tif 000014